(57)【特許請求の範囲】
【請求項１】
円弧状の円弧ガイド面を有し、前記円弧ガイド面の一方の端部から上方に延びる揚送路を備える玉揚送通路と、
前記円弧ガイド面に対向する位置に設けられ、外周縁に複数の受玉部を備え、前記受玉部と前記円弧ガイド面との間にパチンコ玉を保持するスプロケットと、
パチンコ玉を送り出す方向に前記スプロケットを回転させる駆動手段と
を備え、前記スプロケットを回転させて、パチンコ玉を前記円弧ガイド面の他方の端部側から前記揚送路に順次揚送するスプロケット式玉揚送装置であって、
前記スプロケットとは別に、少なくとも１つのスプロケットを前記揚送路に備え、各前記スプロケットの受玉部の数を同じとし、前記玉揚送通路の下流側に行くに伴い、前記玉揚送通路に備えられた前記スプロケットの回転数が高く設定されていることを特徴とするスプロケット式玉揚送装置。
【請求項２】
前記スプロケットを備えた玉揚送通路が、複数列並設されていることを特徴とする請求項１記載のスプロケット式玉揚送装置。
【請求項３】
円弧状の円弧ガイド面を有し、前記円弧ガイド面の一方の端部から上方に延びる揚送路を備える玉揚送通路と、
前記円弧ガイド面に対向する位置に設けられ、外周縁に複数の受玉部を備え、前記受玉部と前記円弧ガイド面との間にパチンコ玉を保持するスプロケットと、
パチンコ玉を送り出す方向に前記スプロケットを回転させる駆動手段と
を備え、前記スプロケットを回転させて、パチンコ玉を前記円弧ガイド面の他方の端部側から前記揚送路に順次揚送するスプロケット式玉揚送装置のスプロケット式玉揚送方法であって、
前記スプロケットとは別に、少なくとも１つのスプロケットを前記揚送路に備え、各前記スプロケットの受玉部の数を同じとし、各前記スプロケットの回転数が、前記玉揚送通路の下流側にいくほど高くなるように設定されていることを特徴とするスプロケット式玉揚送方法。
【発明の詳細な説明】
【技術分野】
【０００１】
本発明は、パチンコ遊技ホールのパチンコ島に設けられるパチンコ玉の玉揚送装置に係り、特にパチンコ島におけるパチンコ玉の自走を容易にするスプロケット式玉揚送装置およびスプロケット式玉揚送方法に関する。
【背景技術】
【０００２】
パチンコ遊技ホールには、例えば、複数のパチンコ機を横方向に並べ、その背面を向きあわせて２列に配置することにより、パチンコ島と呼ばれるパチンコ機群を形成している。このパチンコ島は、通常、パチンコ遊技ホール内の複数箇所に並列に配置されている。
【０００３】
パチンコ島におけるパチンコ玉の循環装置の一つとして、玉揚送装置であるミニリフトが採用されていることが多い。このミニリフトは、パチンコ島におけるパチンコ玉の自走を容易にするための手段として用いられる。ミニリフトは、例えば、遊技客がパチンコ機に打ち込んだパチンコ玉であるアウト玉を揚送研磨装置へ集めるための搬送樋の途中に、自走路の高さ調整手段として設けられる。
【０００４】
従来のパチンコ玉のスプロケット式の揚送装置では、パチンコ玉をガイド面とスプロケットの玉受部との間に挟まれた状態で、スプロケットの回転により、下方のパチンコ玉が上方のパチンコ玉を押し上げるように揚送される（例えば、特許文献１参照。）。
【０００５】
また、従来のパチンコ玉の揚送装置では、例えば、搬送ベルトによってパチンコ玉を揚送する装置もある（例えば、特許文献２参照。）。
【先行技術文献】
【特許文献】
【０００６】
【特許文献１】特許第３４１７８９４号公報
【特許文献２】特許第２７５４９６１号公報
【発明の概要】
【発明が解決しようとする課題】
【０００７】
しかしながら、従来のパチンコ玉の揚送装置では、上方のパチンコ玉を下方のパチンコ玉が押し上げるように揚送されるため、最下部に設けられた、揚送手段である、例えばスプロケットなどに大きな負荷がかかるという問題があった。また、揚送路においてパチンコ玉が連なった状態で揚送されるため、揚送距離が長くなるほど、揚送路に存在するパチンコ玉の数が多くなり、最下部に設けられたプロケットなどにかかる負荷が増大するなどの問題があった。
【０００８】
さらに、従来のパチンコ玉の揚送装置では、揚送路においてパチンコ玉が途切れることなく連なった状態で、揚送路のガイド部材に摺動しながら揚送されるため、パチンコ玉を揚送する際の摩擦抵抗が増大するなどの問題もあった。
【０００９】
そこで、本発明は、上記課題を解決するためになされたものであり、パチンコ玉を揚送する際の摩擦抵抗を低減することができるとともに、パチンコ玉を揚送する揚送手段にかかる負荷を低減することができるスプロケット式玉揚送装置およびスプロケット式玉揚送方法を提供することを目的とする。
【課題を解決するための手段】
【００１０】
上記目的を達成するために、本発明の一態様によれば、円弧状の円弧ガイド面を有し、前記円弧ガイド面の一方の端部から上方に延びる揚送路を備える玉揚送通路と、前記円弧ガイド面に対向する位置に設けられ、外周縁に複数の受玉部を備え、前記受玉部と前記円弧ガイド面との間にパチンコ玉を保持するスプロケットと、パチンコ玉を送り出す方向に前記スプロケットを回転させる駆動手段とを備え、前記スプロケットを回転させて、パチンコ玉を前記円弧ガイド面の他方の端部側から前記揚送路に順次揚送するスプロケット式玉揚送装置であって、前記スプロケットとは別に、少なくとも１つのスプロケットを前記揚送路に備え、各前記スプロケットの受玉部の数を同じとし、前記玉揚送通路の下流側に行くに伴い、前記玉揚送通路に備えられた前記スプロケットの回転数が高く設定されていることを特徴とするスプロケット式玉揚送装置が提供される。
【００１１】
このスプロケット式玉揚送装置によれば、円弧ガイド面との間にパチンコ玉を保持してパチンコ玉を送り出すスプロケットと、このスプロケットが設けられた位置よりも下流側（上方側）の揚送路に、少なくとも１つのスプロケットを備えることで、円弧ガイド面との間にパチンコ玉を保持してパチンコ玉を送り出すスプロケットにかかる負荷を低減することができる。
【００１３】
また、このスプロケット式玉揚送装置によれば、玉揚送通路の下流側に行くに伴い、スプロケットの回転数が高く設定されているので、各スプロケット上に積層して揚送されるパチンコ玉からなるパチンコ玉積層群間に、パチンコ玉どうしが接触せずに離間された部分を有することができる。そのため、１つのスプロケットに、複数のパチンコ玉を積層することによってかかる負荷を低減することができる。
【００１４】
また、本発明の一態様によれば、前記スプロケットを備えた玉揚送通路が、複数列並設されていることを特徴とするスプロケット式玉揚送装置が提供される。
【００１５】
さらに、本発明の一態様によれば、円弧状の円弧ガイド面を有し、前記円弧ガイド面の一方の端部から上方に延びる揚送路を備える玉揚送通路と、前記円弧ガイド面に対向する位置に設けられ、外周縁に複数の受玉部を備え、前記受玉部と前記円弧ガイド面との間にパチンコ玉を保持するスプロケットと、パチンコ玉を送り出す方向に前記スプロケットを回転させる駆動手段とを備え、前記スプロケットを回転させて、パチンコ玉を前記円弧ガイド面の他方の端部側から前記揚送路に順次揚送するスプロケット式玉揚送装置のスプロケット式玉揚送方法であって、前記スプロケットとは別に、少なくとも１つのスプロケットを前記揚送路に備え、各前記スプロケットの受玉部の数を同じとし、各前記スプロケットの回転数が、前記玉揚送通路の下流側にいくほど高くなるように設定されていることを特徴とするスプロケット式玉揚送方法が提供される。
【００１６】
このスプロケット式玉揚送方法によれば、円弧ガイド面との間にパチンコ玉を保持してパチンコ玉を送り出すスプロケットと、このスプロケットが設けられた位置よりも下流側（上方側）の揚送路に、少なくとも１つのスプロケットを備えることで、円弧ガイド面との間にパチンコ玉を保持してパチンコ玉を送り出すスプロケットにかかる負荷を低減することができる。また、各スプロケットが、それぞれ異なる回転数で回転してパチンコ玉を揚送することができる。
【００１８】
また、このスプロケット式玉揚送方法によれば、玉揚送通路の下流側に行くに伴い、スプロケットの回転数が高く設定されているので、各スプロケット上に積層して揚送されるパチンコ玉からなるパチンコ玉積層群間に、パチンコ玉どうしが接触せずに離間された部分を有することができる。そのため、１つのスプロケットに、複数のパチンコ玉を積層することによってかかる負荷を低減することができる。
【発明の効果】
【００１９】
本発明のスプロケット式玉揚送装置およびスプロケット式玉揚送方法によれば、パチンコ玉を揚送する際の揚送路との摩擦抵抗を低減することができるとともに、パチンコ玉を揚送する揚送手段にかかる負荷を低減することができる。
【図面の簡単な説明】
【００２０】
【図１】本発明の一実施形態における玉揚送装置を備えたパチンコ島のパチンコ球循環装置を説明するための図である。
【図２】本発明の一実施形態における玉揚送装置の玉揚送通路の断面を示した図である。
【図３】図３は、図２のＡ−Ａ断面を示す図である。
【発明を実施するための形態】
【００２１】
以下、本発明の一実施の形態を、図面に基づいて説明する。
【００２２】
図１は、本発明の一実施形態における玉揚送装置１０を備えたパチンコ島１のパチンコ球循環装置を説明するための図である。
【００２３】
図１に示すように、パチンコ島１は、揚送研磨装置２０の左右にそれぞれ複数のパチンコ機２１が列設されて構成されている。また、パチンコ島１において、これらのパチンコ機２１の背面側にも、所定の間隔をあけて背中合わせに、複数のパチンコ機２１が列設されている。各パチンコ機２１の下方には、搬送樋２２が下流側に傾斜して設けられている。この搬送樋２２は、各パチンコ機から落下する、パチンコ機２１に遊技客が打ち込んだパチンコ玉ＰＢ（アウト玉）を受け取り、そのパチンコ玉ＰＢを傾斜面に沿って自走させることにより、揚送研磨装置２０の下部の両側に集めるように配置されている。
【００２４】
揚送研磨装置２０の下部に集められたパチンコ玉ＰＢは、揚送研磨装置２０の下部の両側部に設けられた供給口から揚送研磨装置２０内に取り込まれる。揚送研磨装置２０内に取り込まれたパチンコ玉ＰＢは、パチンコ島１の最上部まで揚送されながら同時に研磨される。揚送されたパチンコ玉ＰＢは、一旦、上部貯留タンク２３内に貯留された後、パチンコ島１の上部に設けられた補給樋２４を通じて各パチンコ機２１に供給される。
【００２５】
また、補給樋２４からパチンコ機２１に供給されずに、補給樋２４の下流端まで達したパチンコ玉ＰＢは、図示されていないパイパス管により下部貯留タンク２５に貯留される。下部貯留タンク２５内は、搬送樋２５ａが下流側に傾斜して設けられ、パチンコ玉ＰＢが自走により下流側に集まるように構成されている。
【００２６】
また、下部貯留タンク２５の下流側の端部には、玉揚送装置１０が設けられている。この玉揚送装置１０は、パチンコ玉の自走を容易にするために設けられるミニリフトとして機能する。玉揚送装置１０によって、下部貯留タンク２５の下流側の端部から揚送されたパチンコ玉ＰＢは、玉揚送装置１０の上部から搬送樋２２上に送り出される。搬送樋２２上に送り出されたパチンコ玉ＰＢは、上記したように、搬送樋２２を揚送研磨装置２０の下部の両側まで自走する。
【００２７】
なお、玉揚送装置１０は、上記した下部貯留タンク２５の下流側の端部に設けられることに限られるものではない。例えば、パチンコ島１に列設されるパチンコ機２１の数が多い場合において、１つの搬送樋２２でパチンコ島１の中央の揚送研磨装置２０の下部の両側に集めるようとする際、搬送樋２２の傾斜を、パチンコ玉が自走可能な程度に取れないことがある。この場合には、複数の搬送樋２２を設け、一つの搬送樋２２の下流端部と、それに隣接する搬送樋２２の上流端部との間に、それぞれ玉揚送装置１０を備えることができる。このように玉揚送装置１０を備えることによって、一つの搬送樋２２の下流端部に集まったパチンコ玉ＰＢを、それに隣接する搬送樋２２の上流端部まで揚送することができる。また、玉揚送装置１０は、補給樋２４の途中に設けられてもよいし、揚送研磨装置２０の代わりとして用いられてもよい。
【００２８】
次に、玉揚送装置１０の構成について説明する。
【００２９】
図２は、玉揚送装置１０の玉揚送通路の断面を示した図である。図３は、図２のＡ−Ａ断面を示す図である。
【００３０】
図１および図２に示すように、玉揚送装置１０は、円弧状の円弧ガイド面３１を有し、この円弧ガイド面３１の一方の端部から上方に延びる揚送路３２を構成する玉揚送通路３０を複数列並設して備えている。
【００３１】
また、玉揚送通路３０の円弧ガイド面３１の対向する位置に、円弧ガイド面３１との間にパチンコ玉ＰＢを保持可能なように所定の距離をあけて下部スプロケット４０が設けられている。この下部スプロケット４０の外周縁には、円弧ガイド面３１との間にパチンコ玉ＰＢを保持して送り出すための複数の受玉部４０ａが形成されている。
【００３２】
図３に示すように、各玉揚送通路３０毎に設けられた各下部スプロケット４０は、例えば、一つの回転軸４１で連結されるように構成することができる。そして、回転軸４１の一方の端部と接続された、図示しない回転駆動部によって回転力が与えられ、各下部スプロケット４０は、回転軸４１を中心に、パチンコ玉ＰＢを送り出す方向に回転する。ここで、回転駆動部としては、例えば、ＡＣ（交流）モータ、ＤＣ（直流）モータなどを使用することができる。
【００３３】
また、図２に示すように、揚送路３２は、円弧ガイド面３１の一方の端部から上方に延びる壁面３３ａを有する鉛直壁部３３と、この鉛直壁部３３に対向して設けられ、壁面３３ａに対向する壁面３４ａを有する鉛直壁部３４を備えている。また、揚送されるパチンコ玉ＰＢが隣接して並設された他の揚送路３２に入り込むことを防止するために、鉛直壁部３３、３４に直交するように、仕切り部材３５が設けられている。すなわち、揚送路３２は、鉛直壁部３３の壁面３３ａ、鉛直壁部３４の壁面３４ａおよび仕切り部材３５によって四方を囲まれて構成されている。
【００３４】
また、揚送路３２には、第１のスプロケット５０および第２のスプロケット６０が備えられている。図２に示すように、第２のスプロケット６０は、第１のスプロケット５０よりも下流側に、所定の距離をおいて備えられている。また、第１のスプロケット５０および第２のスプロケット６０の外周縁には、上記した下部スプロケット４０と同様に、揚送路３２を構成する壁面３３ａとの間にパチンコ玉ＰＢを保持するための複数の受玉部５０ａ、６０ａが形成されている。そして、第１のスプロケット５０および第２のスプロケット６０は、揚送路３２を構成する壁面３３ａとの間にパチンコ玉ＰＢを保持して揚送できるように、第１のスプロケット５０および第２のスプロケット６０の一部が、鉛直壁部３４に形成されたスリット状の開口部３４ｂから揚送路３２内に突出するように配置されている。
【００３５】
なお、ここでは、揚送路３２に２つのスプロケット（第１のスプロケット５０および第２のスプロケット６０）を備えた一例を示しているが、揚送路３２に少なくとも１つのスプロケットを備えていればよい。例えば、揚送路３２に、例えば、１つまたは３つ以上のスプロケットを備えてもよい。なお、備えられるスプロケットの数は、揚送距離などに基づいて適宜設定することができる。
【００３６】
また、各玉揚送通路３０毎に設けられた、各第１のスプロケット５０および各第２のスプロケット６０は、図示しないが、前述した各下部スプロケット４０と同様に、それぞれ、一つの回転軸で連結されるように構成することができる。そして、回転軸の一方の端部と接続された、図示しない回転駆動部によって回転力が与えられ、各第１のスプロケット５０および各第２のスプロケット６０は、それぞれの回転軸を中心に、パチンコ玉ＰＢを揚送する方向に回転する。ここで、回転駆動部としては、例えば、ＡＣ（交流）モータ、ＤＣ（直流）モータなどを使用することができる。
【００３７】
また、玉揚送装置１０には、パチンコ玉ＰＢを玉揚送装置１０内に受け入れるための受入口３６が形成されている。この受入口３６は、パチンコ玉ＰＢが二段以上に重なった状態では進入できない高さ（例えば、パチンコ玉ＰＢの直径の１．５〜１．８倍程度）に形成されている。受入口３６から下部スプロケット４０に至る通路は、下部スプロケット４０側に下方傾斜している。これによって、受入口３６から受け入れられたパチンコ玉ＰＢは、下部スプロケット４０側に向かって傾斜面を自走する。
【００３８】
また、受入口３６から下部スプロケット４０に至る通路は、各下部スプロケット４０にパチンコ玉ＰＢを整列させて自走させるために、各下部スプロケット４０に対応して、整列ガイド３７によって仕切られている。すなわち、受入口３６から下部スプロケット４０に至る通路には、受入口３６から各下部スプロケット４０にパチンコ玉ＰＢを整列させて導くためのレーンを形成する整列ガイド３７が設けられている。ここで、隣接する玉揚送通路３０にパチンコ玉ＰＢが入り込むことがないように、各整列ガイド３７の一端と、対応する、前述した揚送路３２を仕切る各仕切り部材３５の一端との間の隙間は設定されている。例えば、各整列ガイド３７の一端を、対応する各仕切り部材３５の一端と当接するように構成することが好ましい。さらには、各整列ガイド３７と、これに対応する各仕切り部材３５とを一体的に構成してもよい。
【００３９】
また、玉揚送装置１０の上部には、揚送路３２を揚送されたパチンコ玉ＰＢを外部に排出するための排出口３８が設けられている。排出口３８を構成する底面は、外側に向かって下方傾斜している。そのため、排出口３８に至ったパチンコ玉ＰＢは、外部に向かって傾斜面を自走する。
【００４０】
ここで、上記した、下部スプロケット４０、第１のスプロケット５０および第２のスプロケット６０において、下部スプロケット４０の回転数が一番低く、最も玉揚送通路３０の下流側に設けられた第２のスプロケット６０の回転数が一番高くなるように制御される。すなわち、玉揚送通路３０に備えられたスプロケットは、玉揚送通路３０の下流側に行くに伴い、スプロケットの回転数が高くなるように設定されている。
【００４１】
次に、このように下部スプロケット４０、第１のスプロケット５０および第２のスプロケット６０の回転数を制御した場合における、パチンコ玉ＰＢの揚送動作について説明する。
【００４２】
受入口３６から各下部スプロケット４０にパチンコ玉ＰＢを整列させて導くためのレーンを形成する整列ガイド３７間に導かれたパチンコ玉ＰＢは、図２に示すように、傾斜面を流下し、下部スプロケット４０の受玉部４０ａと円弧ガイド面３１との間に保持される。受玉部４０ａと円弧ガイド面３１との間に保持されたパチンコ玉ＰＢは、下部スプロケット４０の回転によって、揚送路３２に送り出される。
【００４３】
揚送路３２に送り出されたパチンコ玉ＰＢは、次に揚送されるパチンコ玉ＰＢに下方から押し上げられる。このようにして、下部スプロケット４０から送り出されるパチンコ玉ＰＢによって順次下方から押し上げられ、複数のパチンコ玉ＰＢが積層して連なった状態で揚送路３２を揚送する。ここで、第１のスプロケット５０と下部スプロケット４０との間に存在する複数のパチンコ玉ＰＢを第１のパチンコ玉積層群７０という。図２に示すように、第１のスプロケット５０と下部スプロケット４０との間に存在する積層して連なった状態の第１のパチンコ玉積層群７０におけるパチンコ玉ＰＢの荷重は、下部スプロケット４０にかかる。
【００４４】
さらに、第１のパチンコ玉積層群７０と、後述する第２のパチンコ玉積層群７１との間には、パチンコ玉ＰＢどうしが接触せずに離間された部分を有する。そのため、下部スプロケット４０によって揚送する際、パチンコ玉ＰＢと揚送路３２の内壁面との間に生じる摩擦抵抗は、第１のパチンコ玉積層群７０におけるパチンコ玉ＰＢと揚送路３２の内壁面との間に生じる摩擦抵抗のみとなる。
【００４５】
続いて、第１のスプロケット５０の受玉部５０ａと鉛直壁部３３の壁面３３ａとの間に揚送されたパチンコ玉ＰＢは、第１のスプロケット５０の回転によって、さらに揚送される。この際、第１のスプロケット５０の回転数は、下部スプロケット４０の回転数よりも高く設定されているため、第１のスプロケット５０と下部スプロケット４０との間に存在するパチンコ玉ＰＢの第１のパチンコ玉積層群７０とは、切り離された状態のパチンコ玉ＰＢの第２のパチンコ玉積層群７１を、第２のスプロケット６０と第１のスプロケット５０との間に構成する。また、第２のスプロケット６０と第１のスプロケット５０との間に存在する積層して連なった状態の第２のパチンコ玉積層群７１におけるパチンコ玉ＰＢの荷重は、第１のスプロケット５０にかかる。
【００４６】
さらに、第２のパチンコ玉積層群７１と、後述する第３のパチンコ玉積層群７２との間には、パチンコ玉ＰＢどうしが接触せずに離間された部分を有する。そのため、第１のスプロケット５０によって揚送する際、パチンコ玉ＰＢと揚送路３２の内壁面との間に生じる摩擦抵抗は、第２のパチンコ玉積層群７１におけるパチンコ玉ＰＢと揚送路３２の内壁面との間に生じる摩擦抵抗のみとなる。
【００４７】
続いて、第２のスプロケット６０の受玉部６０ａと鉛直壁部３３の壁面３３ａとの間に揚送されたパチンコ玉ＰＢは、第２のスプロケット６０の回転によって、さらに揚送される。この際、第２のスプロケット６０の回転数は、第１のスプロケット５０の回転数よりも高く設定されているため、第２のパチンコ玉積層群７１とは、切り離された状態のパチンコ玉ＰＢの第３のパチンコ玉積層群７２を、排出口３８と第２のスプロケット６０との間に構成する。また、排出口３８と第２のスプロケット６０との間に存在する積層して連なった状態の第３のパチンコ玉積層群７２におけるパチンコ玉ＰＢの荷重は、第２のスプロケット６０にかかる。
【００４８】
さらに、第２のスプロケット６０によって揚送する際、パチンコ玉ＰＢと揚送路３２の内壁面との間に生じる摩擦抵抗は、第３のパチンコ玉積層群７２におけるパチンコ玉ＰＢと揚送路３２の内壁面との間に生じる摩擦抵抗のみとなる。
【００４９】
第２のスプロケット６０によって揚送され、排出口３８に至ったパチンコ玉ＰＢは、排出口３８から傾斜面を流下して外部に排出される。
【００５０】
上記したように、一実施形態における玉揚送装置１０によれば、下部スプロケット４０の回転数よりも第１のスプロケット５０の回転数が高く、かつ第１のスプロケット５０の回転数よりも第２のスプロケット６０の回転数が高くなるように設定されている。すなわち、玉揚送通路３０に備えられたスプロケットは、玉揚送通路３０の下流側に行くに伴い、スプロケットの回転数が高くなるように設定されている。
【００５１】
このように、玉揚送通路３０に備えられた各スプロケットの回転数を制御することで、各スプロケット上のパチンコ玉積層群と、その直ぐ下流側におけるスプロケット上のパチンコ玉積層群との間には、パチンコ玉ＰＢどうしが接触せずに離間された部分を有する。そのため、各スプロケットには、各スプロケット上のパチンコ玉積層群を構成するパチンコ玉ＰＢの荷重のみがかかるので、１つのスプロケットにかかるパチンコ玉ＰＢの荷重を低減することができる。
【００５２】
また、各スプロケット上のパチンコ玉積層群と、その直ぐ下流側におけるスプロケット上のパチンコ玉積層群との間に、パチンコ玉ＰＢどうしが接触せずに離間された部分を有することで、パチンコ玉ＰＢと揚送路３２の内壁面との間に生じる摩擦抵抗は、そのスプロケット上のパチンコ玉積層群におけるパチンコ玉ＰＢと揚送路３２の内壁面との間に生じる摩擦抵抗のみとなる。そのため、１つのスプロケットにかかる、摩擦抵抗による負荷を低減することができる。これによって、例えば、揚送距離が長い場合でも、１つのスプロケットにかかる、摩擦抵抗による負荷を低減することができる。
【００５３】
以上、本発明を一実施の形態により具体的に説明したが、本発明はこれらの実施の形態にのみ限定されるものではなく、その要旨を逸脱しない範囲で種々変更可能である。
【符号の説明】
【００５４】
１…パチンコ島、１０…玉揚送装置、２０…揚送研磨装置、２１…パチンコ機、２２，２５ａ…搬送樋、２３…上部貯留タンク、２４…補給樋、２５…下部貯留タンク、３０…玉揚送通路、３１…円弧ガイド面、３２…揚送路、３３，３４…鉛直壁部、３３ａ，３４ａ…壁面、３４ｂ…開口部、３５…仕切り部材、３６…受入口、３７…整列ガイド、３８…排出口、４０…下部スプロケット、４０ａ，５０ａ，６０ａ…受玉部、４１…回転軸、５０…第１のスプロケット、６０…第２のスプロケット、７０…第１のパチンコ玉積層群、７１…第２のパチンコ玉積層群、７２…第３のパチンコ玉積層群、ＰＢ…パチンコ玉。
【図１】
0005437002.tif 000002
【図２】
0005437002.tif 000003
【図３】
0005437002.tif 000004